【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
走査線と、
データ線と、
前記走査線と前記データ線との交差に対応して設けられた画素回路と、
駆動回路と、
を有し、
前記画素回路は、
電気光学素子と、
前記電気光学素子に電気的に接続されたときに、前記電気光学素子に供給する電流を制御する第１トランジスターと、
前記データ線と前記第１トランジスターのゲートとの間に接続されて、オンまたはオフする第２トランジスターと、
を含み、
前記駆動回路は、一端が前記データ線に接続された第１保持容量を含み、
前記駆動回路は、
第１期間に、
前記第２トランジスターをオンさせた状態で、前記データ線に初期電位を供給し、
前記第１期間に続く第２期間に、
前記第２トランジスターをオンさせた状態で、階調レベルに応じたデータ電位を前記第１保持容量の他端に供給し、
前記第２期間の後に、
前記第２トランジスターをオフさせる
ことを特徴とする電気光学装置。
【請求項２】
前記駆動回路は、
第１スイッチと、
前記第１保持容量の他端に前記第１スイッチを介して接続され、前記データ電位を保持する第２保持容量と、
をさらに備える
ことを特徴とする請求項１に記載の電気光学装置。
【請求項３】
前記画素回路は、
前記第１トランジスターと前記発光素子との間に接続されて、オンまたはオフする第３トランジスターを有し、
前記駆動回路は、
前記第２期間の後に、前記第３トランジスターをオンさせる
ことを特徴とする請求項１又は請求項２に記載の電気光学装置。
【請求項４】
前記駆動回路は、
前記第１期間の前に、前記第３トランジスターをオフさせる
ことを特徴とする請求項３に記載の電気光学装置。
【請求項５】
前記駆動回路は、
前記第１期間の前に、
前記第２トランジスターをオフさせた状態で、前記データ線への前記初期電位の供給を開始する
ことを特徴とする請求項１に記載の電気光学装置。
【請求項６】
前記画素回路は、
前記第１トランジスターのゲート・ソース間の電圧を保持する第３保持容量を含む、
ことを特徴とする請求項１乃至５のいずれかに記載の電気光学装置。
【請求項７】
前記データ線の電位を保持する第４保持容量をさらに備える
ことを特徴とする請求項１乃至６のいずれかに記載の電気光学装置。
【請求項８】
給電線をさらに備え、
前記第４保持容量の一端は、前記データ線に接続され、
前記第４保持容量の他端は、前記給電線に接続される
ことを特徴とする請求項７に記載の電気光学装置。
【請求項９】
前記画素回路は、
前記給電線と前記発光素子との間に接続されて、オンまたはオフする第４トランジスターを有し、
前記駆動回路は、前記第１期間内に、前記第４トランジスターをオンさせる
ことを特徴とする請求項８に記載の電気光学装置。
【請求項１０】
走査線と、
データ線と、
前記走査線と前記データ線との交差に対応して設けられた画素回路と、
駆動回路と、
を有し、
前記画素回路は、
発光素子と、
前記発光素子に接続されたときに、前記発光素子に供給する電流を制御する第１トランジスターと、
前記データ線と前記第１トランジスターのゲートとの間に接続されて、オンまたはオフする第２トランジスターと、
を含み、
前記駆動回路は、
一端が前記データ線に接続された第１保持容量と、
第１入力端と前記第１保持容量の他端に接続された第１出力端とを備えた第１スイッチと、
データ電位が供給される第２入力端と前記第１スイッチの前記第１入力端に接続された第２出力端とを備える第２スイッチと、
前記第１スイッチの前記第１入力端及び前記第２スイッチの前記第２出力端の電位を保持する保持部と、
を含む
ことを特徴とする電気光学装置。
【請求項１１】
走査線と、
第１データ線と、
第２データ線と、
前記走査線と前記第１データ線との交差に対応して設けられた第１画素回路と、
前記走査線と前記第２データ線との交差に対応して設けられた第２画素回路と、
駆動回路と、
を有し、
前記第１画素回路及び前記第２画素回路の各々は、
発光素子と、
前記発光素子に接続されたときに、前記発光素子に供給する電流を制御する第１トランジスターと、
前記第１データ線又は第２データ線と前記第１トランジスターのゲートとの間に接続されて、オンまたはオフする第２トランジスターと、
を含み、
前記駆動回路は、
一端が前記第１データ線に接続された第１保持容量と、
一端が前記第２データ線に接続された第２保持容量と、
第１入力端と前記第１保持容量の他端に接続された第１出力端とを備えた第１スイッチと、
第２入力端と前記第２保持容量の他端に接続された第２出力端とを備えた第２スイッチと、
共通端子に供給された第１データ電位を前記第１スイッチの前記第１入力端に供給し、前記共通端子に供給された第２データ電位を前記第２スイッチの前記第２入力端に供給するデマルチプレクサと、
前記第１スイッチの入力端の電位を保持する第１保持部と、
前記第２スイッチの入力端の電位を保持する第２保持部と、
を含む
ことを特徴とする電気光学装置。
【請求項１２】
前記駆動回路は、
第１期間に、
前記第１画素回路及び前記第２画素回路において前記第２トランジスターをオンさせた状態で、前記第１データ線及び第２データ線に初期電位を供給し、
第２期間に、
前記デマルチプレクサを制御して、前記第１データ電位を前記第１保持部によって保持させるとともに、前記第２データ電位を前記第２保持部によって保持させ、
前記第２期間の後の第３期間に、
前記第２トランジスターをオンさせた状態で前記第１スイッチ及び前記第２スイッチを制御して、前記第１保持部によって保持した前記第１データ電位を前記第１保持容量の他端に供給し、前記第２保持部によって保持した前記第２データ電位を前記第２保持容量の他端に供給し、
前記第３期間の後に、前記第２トランジスターをオフさせ、
前記第１期間は、前記第２期間の少なくとも一部と重なる期間である
ことを特徴とする請求項１１に記載の電気光学装置。
【請求項１３】
走査線と、
データ線と、
一端が前記データ線に接続された第１保持容量と、
前記走査線と前記データ線との交差に対応して設けられた画素回路と、
を有し、
前記画素回路は、
発光素子と、
前記発光素子に接続されたときに、前記発光素子に供給する電流を制御する第１トランジスターと、
前記データ線と前記第１トランジスターのゲートとの間に接続されて、オンまたはオフする第２トランジスターと、
を含む電気光学装置の駆動方法であって、
第１期間に、
前記第２トランジスターをオンさせた状態で、前記データ線に初期電位を供給し、
前記第１期間に続く第２期間に、
前記第２トランジスターをオンさせた状態で、階調レベルに応じたデータ電位を前記第１保持容量の他端に供給し、
前記第２期間の後に、前記第２トランジスターをオフさせる
ことを特徴とする電気光学装置の駆動方法。
【請求項１４】
前記第１期間に、前記データ電位を第２保持容量に保持し、
前記第２期間に、前記第２保持容量に保持した前記データ電位を前記第１保持容量の他端に供給する
ことを特徴とする請求項１３に記載の電気光学装置の駆動方法。
【請求項１５】
走査線と、
第１データ線と、
第２データ線と、
一端が前記第１データ線に接続された第１保持容量と、
一端が前記第２データ線に接続された第２保持容量と、
前記走査線と前記第１データ線との交差に対応して設けられた第１画素回路と、
前記走査線と前記第２データ線との交差に対応して設けられた第２画素回路と、
第１保持部と、
第２保持部と、
を有し
前記第１画素回路および第２画素回路の各々は、
発光素子と、
前記発光素子に接続されたときに、前記発光素子に供給する電流を制御する第１トランジスターと、
前記第１データ線又は前記第２データ線と前記第１トランジスターのゲートとの間に接続されて、オンまたはオフする第２トランジスターと、
を含む電気光学装置の駆動方法であって、
第１期間に、
前記第１画素回路及び前記第２画素回路において前記第２トランジスターをオンさせた状態で、前記第１データ線及び第２データ線に初期電位を供給し、
第２期間に、
前記第１画素回路に対応する第１データ電位を前記第１保持部によって保持させるとともに、前記第２画素回路に対応する第２データ電位を前記第２保持部によって保持させ、
前記第２期間の後の第３期間に、
前記第２トランジスターをオンさせた状態で、前記第１保持部によって保持した前記第１データ電位を前記第１保持容量の他端に供給し、前記第２保持部によって保持した前記第２データ電位を前記第２保持容量の他端に供給し、
前記第３期間の後に、前記第２トランジスターをオフさせる
ことを特徴とする電気光学装置の駆動方法。
【請求項１６】
前記第１期間は、前記第２期間の少なくとも一部と重なる期間である
ことを特徴とする請求項１５に記載の電気光学装置の駆動方法。
【請求項１７】
請求項１乃至１２のいずれかに記載の電気光学装置を備える
ことを特徴とする電子機器。
【手続補正２】
【補正対象書類名】明細書
【補正対象項目名】０００５
【補正方法】変更
【補正の内容】
【０００５】
上記目的を達成するために本発明に係る電気光学装置にあっては、走査線と、データ線と、前記走査線と前記データ線との交差に対応して設けられた画素回路と、駆動回路と、を有し、前記画素回路は、電気光学素子と、前記電気光学素子に電気的に接続されたときに、前記電気光学素子に供給する電流を制御する第１トランジスターと、前記データ線と前記第１トランジスターのゲートとの間に接続されて、オンまたはオフする第２トランジスターと、を含み、前記駆動回路は、一端が前記データ線に接続された第１保持容量を含み、前記駆動回路は、第１期間に、前記第２トランジスターをオンさせた状態で、前記データ線に初期電位を供給し、前記第１期間に続く第２期間に、前記第２トランジスターをオンさせた状態で、階調レベルに応じたデータ電位を前記第１保持容量の他端に供給し、前記第２期間の後に、前記第２トランジスターをオフさせることを特徴とする。本発明によれば、第１期間では、データ線とともに第１トランジスターのゲートが初期電位に第２保持容量によって保持される。第２期間に、第２トランジスターをオンさせた状態で、階調レベルに応じた電位のデータ信号が第１保持容量の他端に供給されたとき、データ線および第１トランジスターのゲートの電位は、当該第１保持容量の他端における電位変動を第１保持容量および第２保持容量の容量比で分圧した分だけシフトする。このため、本発明によれば、第１トランジスターのゲートにおける電位範囲は、データ信号の電位範囲に対し狭められるので、第１トランジスターのゲート・ソース間の電圧変化に対する電流変化が大きい場合にも、正確に電流を制御することができる。
【手続補正３】
【補正対象書類名】明細書
【補正対象項目名】０００６
【補正方法】変更
【補正の内容】
【０００６】
本発明において、前記駆動回路は、第１スイッチと、前記第１保持容量の他端に前記第１スイッチを介して接続され、前記データ電位を保持する第２保持容量と、をさらに備える構成が好ましい。この構成において、前記画素回路は、前記第１トランジスターと前記発光素子との間に接続されて、オンまたはオフする第３トランジスターを有し、前記駆動回路は、前記第２期間の後に、前記第３トランジスターをオンさせても良く、前記第１期間の前に、前記第３トランジスターをオフさせても良い。
前記駆動回路は、前記第１期間の前に、前記第２トランジスターをオフさせた状態で、前記データ線への前記初期電位の供給を開始しても良い。前記画素回路は、前記第１トランジスターのゲート・ソース間の電圧を保持する第３保持容量を含む構成としても良い。前記データ線の電位を保持する第４保持容量をさらに備えても良い。
給電線をさらに備え、前記第４保持容量の一端は、前記データ線に接続され、前記第４保持容量の他端は、前記給電線に接続される構成としても良いし、この構成において、前記画素回路は、前記給電線と前記発光素子との間に接続されて、オンまたはオフする第４トランジスターを有し、前記駆動回路は、前記第１期間内に、前記第４トランジスターをオンさせても良い。
【手続補正４】
【補正対象書類名】明細書
【補正対象項目名】０００７
【補正方法】変更
【補正の内容】
【０００７】
また、本発明の別の態様に係る電気光学装置にあっては、走査線と、データ線と、前記走査線と前記データ線との交差に対応して設けられた画素回路と、駆動回路と、を有し、前記画素回路は、発光素子と、前記発光素子に接続されたときに、前記発光素子に供給する電流を制御する第１トランジスターと、前記データ線と前記第１トランジスターのゲートとの間に接続されて、オンまたはオフする第２トランジスターと、を含み、前記駆動回路は、一端が前記データ線に接続された第１保持容量と、第１入力端と前記第１保持容量の他端に接続された第１出力端とを備えた第１スイッチと、データ電位が供給される第２入力端と前記第１スイッチの前記第１入力端に接続された第２出力端とを備える第２スイッチと、前記第１スイッチの前記第１入力端及び前記第２スイッチの前記第２出力端の電位を保持する保持部と、を含むことを特徴とする。
本発明のさらに別の態様に係る電気光学装置にあっては、走査線と、データ線と、前記走査線と前記データ線との交差に対応して設けられた画素回路と、駆動回路と、を有し、走査線と、第１データ線と、第２データ線と、前記走査線と前記第１データ線との交差に対応して設けられた第１画素回路と、前記走査線と前記第２データ線との交差に対応して設けられた第２画素回路と、駆動回路と、を有し、前記第１画素回路及び前記第２画素回路の各々は、発光素子と、前記発光素子に接続されたときに、前記発光素子に供給する電流を制御する第１トランジスターと、前記第１データ線又は第２データ線と前記第１トランジスターのゲートとの間に接続されて、オンまたはオフする第２トランジスターと、を含み、前記駆動回路は、一端が前記第１データ線に接続された第１保持容量と、一端が前記第２データ線に接続された第２保持容量と、第１入力端と前記第１保持容量の他端に接続された第１出力端とを備えた第１スイッチと、第２入力端と前記第２保持容量の他端に接続された第２出力端とを備えた第２スイッチと、共通端子に供給された第１データ電位を前記第１スイッチの前記第１入力端に供給し、前記共通端子に供給された第２データ電位を前記第２スイッチの前記第２入力端に供給するデマルチプレクサと、前記第１スイッチの入力端の電位を保持する第１保持部と、前記第２スイッチの入力端の電位を保持する第２保持部と、を含む構成を特徴とする。
この構成において、前記駆動回路は、第１期間に、前記第１画素回路及び前記第２画素回路において前記第２トランジスターをオンさせた状態で、前記第１データ線及び第２データ線に初期電位を供給し、第２期間に、前記デマルチプレクサを制御して、前記第１データ電位を前記第１保持部によって保持させるとともに、前記第２データ電位を前記第２保持部によって保持させ、前記第２期間の後の第３期間に、前記第２トランジスターをオンさせた状態で前記第１スイッチ及び前記第２スイッチを制御して、前記第１保持部によって保持した前記第１データ電位を前記第１保持容量の他端に供給し、前記第２保持部によって保持した前記第２データ電位を前記第２保持容量の他端に供給し、前記第３期間の後に、前記第２トランジスターをオフさせ、前記第１期間は、前記第２期間の少なくとも一部と重なる期間であっても良い。
なお、本発明は、電気光学装置のほか、電気光学装置の駆動方法や、当該電気光学装置を有する電子機器として概念することも可能である。電子機器としては、典型的にはヘッドマウント・ディスプレイ（ＨＭＤ）や電子ビューファイダーのなどの表示装置が挙げられる。